(57)【要約】【課題】複数の画像を異なる方向に表示する指向性表示方式の画像表示装置における、モアレ抑制による画質向上。【解決手段】パララックスバリアの各開口部１１２は、各副画素のＸ方向に平行な辺に対してほぼ平行な対辺と、各副画素のＹ方向に平行な辺に対して角度θ１ずれた対辺とからなる平行四辺形状に形成されている。各開口部１１２はサイクルピッチで配置されている。このように構成することにより、切り替わり開口部２５０から視認される領域では、ブラック領域１２８ａの包含割合が減少し、他の開口部１１２では、ブラック領域１２８ａの包含割合が増加する。従って、開口部を介して利用者から視認される領域のそれぞれについて、ブラック領域１２８ａと副画素領域の包含割合を近似させることができる。従って、各開口部を通過して利用者側に進む光の強度差を抑制でき、光の干渉を抑制できる。よって、画質を向上できる。【選択図】図７
2008242055.tif 000002
【特許請求の範囲】
【請求項１】
第１の視方向に第１の画像を表示し、第２の視方向に第２の画像を表示する画像表示装置であって、
前記第１の画像の形成に用いられる複数の第１副画素と、前記第２の画像の形成に用いられる複数の第２副画素と、が少なくとも行方向に交互に配置されている表示部と、
前記各第１副画素および前記各第２副画素の周囲を囲むように配置された黒色部材と、
前記表示部と前記第１の画像および前記第２の画像を視認する利用者との間に配置され、前記第１副画素から射出された第１の射出光を前記第１の視方向に射出するとともに前記第２副画素から射出された第２の射出光を前記第２の視方向に射出するための、遮光部および複数種類の間隔で形成された複数の開口部が並ぶように構成された射出方向規制手段であって、各前記開口部を通過して前記利用者に向けて進む前記第１の射出光および前記第２の射出光の光量が略均等となるように形成されている射出方向規制手段と、を備える画像表示装置。
【請求項２】
請求項１記載の画像表示装置であって、
前記各第１副画素および前記各第２副画素は、多角形状に形成されており、
前記複数の開口部のうちの少なくとも１つの開口部は、四角形状に形成されており、前記少なくとも一つの開口部は、各前記第１副画素と各前記第１副画素に行方向に隣接して配置されている各前記第２副画素との境界を規定する辺に対して、平行もしくは垂直でない所定の角度を有する辺を備える角度付開口部である、画像表示装置。
【請求項３】
請求項２記載の画像表示装置であって、
前記角度付開口部の形状は、前記第１副画素および前記第２副画素の配列の行方向に平行な対辺と、前記第１副画素および前記第２副画素の配列の列方向に対して前記所定の角度を有する対辺とから構成される平行四辺形である、画像表示装置。
【請求項４】
、
請求項３記載の画像表示装置であって、
前記射出方向規制手段は、前記複数の開口部の形成間隔の平均間隔が、前記第１副画素および前記第２副画素の配置間隔を用いて規定される理想間隔に近似するように構成されており、
前記複数種類の間隔は、前記複数の第１副画素および前記複数の第２副画素の配置間隔に近似した第１の間隔と、前記複数の開口部の形成間隔の平均間隔を前記理想間隔に近似させるための調整に用いられる第２の間隔とを含み、
前記複数の開口部のうち、前記第２の間隔から前記第１の間隔へ切り替わる部位に形成されている切り替わり開口部が矩形状に形成された矩形状開口部であり、残りの開口部が前記角度付開口部である、画像表示装置。
【請求項５】
請求項４記載の画像表示装置であって、
前記切り替わり開口部は、ほぼ均等な間隔で形成されている、画像表示装置。
【請求項６】
請求項１ないし請求項５いずれか記載の画像表示装置であって、
前記射出方向規制手段は、前記複数の開口部と前記遮光部とが、前記複数の第１副画素および前記複数の第２副画素の配置配列の行方向および列方向に交互に形成されたマトリクス構造を有する、画像表示装置。
【請求項７】
請求項１ないし請求項５いずれか記載の画像表示装置であって、
前記射出方向規制手段は、前記複数の開口部と前記遮光部とが、前記複数の第１副画素および前記複数の第２副画素の配置配列の行方向に交互に形成された縦ストライプ構造を有する、画像表示装置。
【発明の詳細な説明】
【技術分野】
【０００１】
本発明は、単一の画面を異なる方向から見た場合に、それぞれの方向に異なる画像を表示する技術に関する。
【背景技術】
【０００２】
単一の表示パネルを異なる方向から見た場合に、それぞれの方向に異なる画像を表示する指向性表示方式の画像表示装置が利用されている。このような画像表示装置は、光源としてのバックライト、液晶パネルやパララックスバリアを備えるものがある。パララックスバリアは、例えば、光を吸収する黒色の樹脂により薄い平面状に形成されており、光を通過させる開口部と光を遮光する遮光部とを有している。パララックスバリアは、光源から射出され第１副画素およびカラーフィルタを通過した光を第１の視方向に向けると共に、光源から射出され第２副画素およびカラーフィルタを通過した光を第２の視方向に向けて、第１の画像と第２の画像とを分割して異なる方向に表示する障壁として機能する。
【０００３】
パララックスバリアの各開口部は、隣接する開口部と所定の間隔で形成されている。隣接する開口部間の間隔は、液晶パネルの各副画素の配置間隔や利用者の両目間の距離に基づき規定される理想的な間隔であることが好ましい。しかしながら、パララックスバリアの開口部の理想的な間隔は約１μｍと非常に小さく製造困難であるため、例えば、パララックスバリアの開口部間を、製造可能な複数種類の間隔が混在するように形成し、パララックスバリア全体として、開口部間の間隔を理想的な間隔とする技術が利用されている。
【０００４】
【特許文献１】特開平８−３６１４５号公報
【特許文献２】特開平８−１１０４９５号公報
【特許文献３】特開平８−３３１６０５号公報
【発明の開示】
【発明が解決しようとする課題】
【０００５】
しかしながら、複数種類の異なる間隔で開口部が形成された場合、利用者が開口部から視認可能な画素の範囲が異なるため、各開口部を通過して利用者側に進む光の強度に差が生じ、光が干渉しあってスジ状の干渉縞（モアレ）が利用者により視認されることがある。モアレの発生は、表示画像の画質低下という問題を生じる。
【０００６】
本発明はかかる課題に鑑みてなされたものであり、複数の画像を異なる方向に表示する指向性表示方式の画像表示装置における、モアレ抑制による画質向上を目的とする。
【課題を解決するための手段】
【０００７】
上述した課題の少なくとも一部を解決するために、本発明の第１の態様は、第１の視方向に第１の画像を表示し、第２の視方向に第２の画像を表示する画像表示装置を提供する。
本発明の第１の態様の画像表示装置は、
副画素と、前記第２の画像の形成に用いられる複数の第２副画素と、が少なくとも行方向に交互に配置されている表示部と、
前記各第１副画素および前記各第２副画素の周囲を囲むように配置された黒色部材と、
前記表示部と前記第１の画像および前記第２の画像を視認する利用者との間に配置され、前記第１副画素から射出された第１の射出光を前記第１の視方向に射出するとともに前記第２副画素から射出された第２の射出光を前記第２の視方向に射出するための、複数種類の間隔で形成された複数の開口部が並ぶように構成された射出方向規制手段であって、各前記開口部を通過して前記利用者に向けて進む前記第１の射出光および前記第２の射出光の光量が略均等となるように形成されている射出方向規制手段と、を備えることを陽子とする。
【０００８】
第１の態様の画像表示装置によれば、開口部を通過して利用者に向かう光の光量を略均等にできる。従って、各開口部を通過する光の干渉を抑制できる。よって、複数の画像を異なる方向に表示する指向性表示方式の画像表示装置において、干渉縞の発生を抑制でき、表示画像の画質向上を図ることができる。
【０００９】
第１の態様の画像表示装置において、
前記各第１副画素および前記各第２副画素は、多角形状に形成されており、
前記複数の開口部のうちの少なくとも１つの開口部は、四角形状に形成されており、前記少なくとも一つの開口部は、各前記第１副画素と各前記第１副画素に行方向に隣接して配置されている各前記第２副画素との境界を規定する辺に対して、平行もしくは垂直でない所定の角度を有する辺を備える角度付開口部としてもよい。
【００１０】
第１の態様の画像表示装置において、
前記角度付開口部の形状は、前記第１副画素および前記第２副画素の配列の行方向に平行な対辺と、前記第１副画素および前記第２副画素の配列の列方向に対して前記所定の角度を有する対辺とから構成される平行四辺形であってもよい。
【００１１】
第１の態様の画像表示装置によれば、射出方向規制手段の開口部を、開口部の辺と第１副画素および第２副画素の辺とが所定の角度ずれるように形成できる。従って、各開口部から視認可能な領域のそれぞれに含まれる黒色部材と副画素との包含割合を近似させることができる。よって、各開口部を通過して利用者に向かう光の干渉を抑制できる。
【００１２】
第１の態様の画像表示装置において、
前記射出方向規制手段は、前記複数の開口部の形成間隔の平均間隔が、前記第１副画素および前記第２副画素の配置間隔を用いて規定される理想間隔に近似するように構成されており、
前記複数種類の間隔は、前記複数の第１副画素および前記複数の第２副画素の配置間隔に近似した第１の間隔と、前記複数の開口部の形成間隔の平均間隔を前記理想間隔に近似させるための調整に用いられる第２の間隔とを含み、
前記複数の開口部のうち、前記第２の間隔から前記第１の間隔へ切り替わる部位に形成されている切り替わり開口部が矩形状に形成された矩形状開口部であり、残りの開口部が前記角度付開口部であってもよい。
【００１３】
第１の態様の画像表示装置によれば、切り替わり開口部のみを矩形状に形成し、残りの開口部を角度付開口部に形成できる。従って、各開口部から視認可能な領域のそれぞれに含まれる黒色部材と副画素との包含割合を近似させることができる。
【００１４】
第１の態様の画像表示装置において、
前記切り替わり開口部は、ほぼ均等な間隔で形成されていてもよい。
【００１５】
第１の態様の画像表示装置において、
前記射出方向規制手段は、前記複数の開口部と前記複数の遮光部とが、前記複数の第１副画素および前記複数の第２副画素の配置配列の行方向および列方向に交互に形成されたマトリクス構造を有していてもよい。
【００１６】
第１の態様の画像表示装置において、
前記射出方向規制手段は、前記複数の開口部と前記複数の遮光部とが、前記複数の第１副画素および前記複数の第２副画素の配置配列の行方向に交互に形成された縦ストライプ構造を有していてもよい。
【００１７】
本発明において、上述した種々の態様は、適宜、組み合わせたり、一部を省略してもよい。
【発明を実施するための最良の形態】
【００１８】
Ａ．第１実施例：
Ａ１．システム概要：
図１は、第１実施例における画像表示装置の概略構成を例示する説明図である。画像表示装置１００は、光源としてのバックライト１４０、液晶パネル１５０、液晶パネル駆動部１６０、視野範囲制御部１７０を備える。液晶パネル１５０は、上部偏光板１０５，視差バリア１１０、上部ガラス基板１１５，カラーフィルタ層１２０、液晶層１２５，下部ガラス基板１３０、下部偏光板１３５を備え、それぞれが積層された構成を有する。第１実施例の画像表示装置は、上述の構成を有し、異なる視方向（第１の視方向α、第２の視方向β）に、それぞれ異なる第１画像および第２画像を表示する。第１実施例において、第１画像を表示するための画像データ（以降、本明細書では第１画像データと呼ぶ）および第２画像を表示するための画像データ（以降、本明細書では第２画像データと呼ぶ）は、赤（Ｒ）、緑（Ｇ）、青（Ｂ）の三色から構成されるＲＧＢ画像データである。
【００１９】
液晶パネル１５０について説明する。液晶パネル１５０は、上部偏光板１０５，パララックスバリア１１０、上部ガラス基板１１５，カラーフィルタ層１２０、液晶層１２５，下部ガラス基板１３０、下部偏光板１３５、バックライト１４０とから構成され、それぞれが積層されたアクティブマトリクス方式のＴＦＴ液晶パネルである。液晶パネル１５０は、複数の副画素を備える。カラーフィルタ層１２０は、Ｒ、Ｇ、Ｂの３色のカラーフィルタを有し、所定の波長の光のみを選択的に透過させる。パララックスバリア１１０は、上部偏光板１０５と上部ガラス基板１１５との間に配置されている。パララックスバリア１１０は、平板状に形成されており、遮光部と開口部が画素配列の行方向および列方向に交互に形成された構造を有する。パララックスバリア１１０は、その構造により副画素からの射出光を所定の出射角に制限する射出方向規制手段として機能している。パララックスバリア１１０の詳細構成については後に詳述する。
【００２０】
液晶パネル駆動部１６０は、入力される第１画像データおよび第２画像データに基づき、下部ガラス基板１３０に対して駆動信号を供給する。
【００２１】
バックライト１４０から射出される光は、下部偏光板１３５と下部ガラス基板１３０とを通って液晶層１２５において変調され、カラーフィルタ層１２０においてＲ、Ｇ、Ｂの光に変換される。変換された光は、上部ガラス基板１１５および上部偏光板１０５を通って液晶パネル１５０の外部へと射出される。
【００２２】
図２は、第１実施例における下部ガラス基板１３０の詳細構成を示すブロック図である。下部ガラス基板１３０は、矩形状に形成されており、複数のデータ線２８と、複数の走査線２９と、データ線２８と走査線２９とで囲まれた各領域に配置された画素電極２４と、各画素電極２４に接続されている薄膜トランジスタ（ＴＦＴ）素子２６とを備える。第１実施例では、データ線２８と走査線２９とＴＦＴ素子２６とで囲まれた各領域を副画素２２と呼ぶ。なお副画素２２には、画素電極やＴＦＴ素子２６の他に、各領域に対応して配置された液晶層１２５内の液晶セル（図示省略）、各領域に対応する上部ガラス基板１１５に形成された電極層（図示省略）が含まれる。各副画素は、ガラス基板の水平（左右）方向に平行な対辺および垂直な対辺から構成された矩形状に形成されている。画像表示装置１００では、図２に示すように、６つの副画素群（２行×３列の副画素）から表示画像の１画素が構成されている。以降、実施例では、副画素配列の行方向をＸ方向、副画素配列の列方向をＹ方向と呼ぶ。
【００２３】
第１実施例の画像表示装置１００は、上述のような構成を備えることにより、液晶パネル１５０を観察する観察者が、第１の視方向（視方向α）からは第１画像を視認でき、第２の視方向（視方向β）からは第２画像が視認できるように、第１画像および第２画像を表示できる。
【００２４】
Ａ２．パララックスバリア詳細構成：
図３（ａ）は、第１実施例におけるパララックスバリアを例示する平面図である。図３（ａ）に示すように、パララックスバリア１１０には、多数の開口部１１２が行方向および列方向にマトリクス状に形成されている。
【００２５】
図３（ｂ）は、第１実施例におけるパララックスバリアの開口部の形状および形成の間隔（ピッチ）について例示する説明図である。各開口部１１２は、Ｘ方向に平行な各副画素の辺に対してほぼ平行な対辺Ｐと、Ｙ方向に平行な各副画素の辺に対して角度θ１ずれた対辺Ｑとからなる平行四辺形状に形成されている。角度θ１は、副画素の配置ピッチや開口ピッチに応じて適宜設定される。第１実施例では、角度θ１は以下の式１により規定される。なお、式１において、Ｗは対辺ＰのＸ方向に対するずれ量を示し、Ｈは、開口部１１２の高さ示す。
【００２６】
θ１＝ＡＴＡＮ（Ｗ／Ｈ）      …（式１）
【００２７】
複数の開口部１１２は、開口部群１１３を構成する。開口部群１１３に含まれる各開口部１１２は、複数種類のピッチで形成されている。複数種類のピッチは、第１副画素および第２副画素の配置ピッチに近似している第１の間隔（以降、ピッチＡと呼ぶ）と、開口部群１１３に含まれる開口部間の平均ピッチを理想ピッチに近似させるための調整に用いられる第２の間隔（以降、ピッチＢと呼ぶ）とを含む。複数の開口部１１２は、Ｘ方向に、ピッチＡ、ピッチＡ…ピッチＡ、ピッチＢ、という順に並んでいる。第１実施例では、開口部群１１３の複数の開口部１１２の複数種類の形成ピッチを、開口部ピッチの１サイクルと表す。１サイクルに含まれる全ピッチの平均ピッチは、第１副画素の形成間隔（理想ピッチ）とほぼ同一である。すなわち、例えば、１サイクル中にピッチＡが９９個、ピッチＢが１個含まれる場合、以下の式３により求められる平均ピッチＡｖｅは、理想ピッチＦとほぼ同一である。なお、第１実施例において、ピッチＡ＞ピッチＢである。ピッチＢ＞ピッチＡとしてもよい。
【００２８】
Ａｖｅ＝（９９Ａ＋Ｂ）／１００      （式３）
【００２９】
パララックスバリア１１０では、開口部ピッチの１サイクルが行方向に複数並ぶように、複数の開口部１１２が形成されている。このように、開口部ピッチの１サイクルが並ぶように構成された開口部の配置方法はサイクルピッチ配置と呼ばれる。
【００３０】
パララックスバリア１１０において、ピッチＢからピッチＡに切り替わる位置（第１実施例ではサイクルの切り替わりの位置）に形成されている開口部１１２を、切り替わり開口部２５０とも呼ぶ。
【００３１】
Ａ３．副画素とパララックスバリアとの対応について：
図４は、第１実施例における液晶パネル１５０の副画素とパララックスバリア１１０の開口部との位置関係について説明する模式図である。第１実施例の液晶パネル１５０は、第１画像の形成に用いられる第１副画素と第２画像の形成に用いられる第２副画素を有しており、第１副画素と第２副画素とが２副画素ずつ、行方向および列方向に交互に形成されている。図４では、第１副画素を白抜きで示し、第２副画素をハッチングで示す。また、図４において、切り替わり位置Ｃは、サイクルの切り替わり位置を示している。
【００３２】
図４において、各副画素に対応付けて記載されている「Ｒ」，「Ｇ」，「Ｂ」は、各副画素に対応付けられている各色のカラーフィルタを表す。以降、各副画素に対応付けられたカラーフィルタを「フィルタ要素」と呼ぶ。図４に示すように、同列の副画素には、同色のフィルタ要素が対応付けられており、同行の副画素には、各色のフィルタ要素が、Ｒ，Ｇ，Ｂの順番で繰り返し並ぶように対応付けられている。例えば、第１副画素３００にはＲのフィルタ要素が対応付けられている。以降、実施例では、各色のフィルタ要素に対応付けられた副画素を、それぞれ、［Ｒ，Ｇ，Ｂのいずれか一つ］副画素と表す。例えば、Ｒのフィルタ要素に対応付けられている第１副画素３００を、第１Ｒ副画素３００と表す。
【００３３】
カラーフィルタ層１２０には、各カラーフィルタを囲むように形成されたブラックマトリクス１２８が形成されている。ブラックマトリクス１２８は、黒色の樹脂を材料として形成されており、画像のコントラストの向上のために用いられている。
【００３４】
本明細書では、バックライトから射出され副画素およびカラーフィルタ層１２０を透過して利用者側に進む透過光を「副画素からの射出光」ともいう。例えば、バックライトから射出され第１画像の形成に用いられる第１副画素３００およびカラーフィルタのフィルタ要素（Ｒ）を透過して利用者側に進む光を第１Ｒ副画素３００からの射出光、ともいう。
【００３５】
パララックスバリア１１０の開口部１１２は、互いに隣接して配置されている第１副画素と第２副画素に対応付けられている。例えば、開口部１１２ａは、第１Ｒ副画素３００および第２Ｇ副画素３０１に重なるように配置されている。
【００３６】
Ａ４．画像表示装置の指向性表示方式について：
画像表示装置１００の指向性表示方式について説明する。図５は、第１実施例における画像表示装置の指向性表示方式について説明する模式図である。図５は、図４のＡ−Ａ断面における断面図である。図５の中心線Ｃｌは、液晶パネル１５０のＸ方向の中心線に相当する。なお、図５では、図を簡潔にするため上部偏光板１０５の記載を省略する。
【００３７】
画像表示装置１００において、各副画素からの射出光は、対応付けられたカラーフィルタを透過し、対応する開口部１１２を通過して利用者側に進む。例えば、第１Ｇ副画素３０４から射出された光のうち、第１Ｇ副画素３０４に対応付けられた開口部１１２を通過する光は、第１画像視野範囲ａｒ１にいる利用者に届き、残りの光は遮光部１１１に吸収される。同様に。第２Ｇ副画素３０３に対応付けられた開口部１１２を通過する光は、開口部１１２を通過して、第２画像視野範囲ａｒ２にいる利用者に届く。よって、第１画像視野範囲ａｒ１にいる利用者は、第１画像を視認でき、第２画像視野範囲ａｒ２にいる利用者は、第２画像を視認できる。
【００３８】
画像表示装置１００は、このような構成により、視方向αに第１画像を、視方向βに第２画像を表示している。
【００３９】
Ａ５．モアレ抑制について：
第１実施例におけるモアレ抑制の原理について、図６および図７を参照して説明する。図６は、従来例における画像切り替わり時の開口部と副画素との対応について説明する説明図である。図７は、第１実施例における画像切り替わり時の開口部と副画素との対応について説明する説明図である。
【００４０】
まず、従来例について図６を参照して説明する。従来のパララックスバリア１１０ａの開口部２１２は、Ｘ方向に平行な対辺とＹ方向に平行な対辺とからなる矩形状に形成されている。すなわち、開口部２１２のＹ方向に伸びた辺と副画素のＹ方向に伸びた辺とはほぼ平行である。従来例のパララックスバリアでは、第１実施例と同様に、ピッチＡとピッチＢの２種類のピッチが混在する１サイクルがＸ方向に複数並ぶように複数の開口部２１２が形成されている。
【００４１】
従来例のパララックスバリアにおいて、ピッチＡは理想ピッチＦに近似しており、ピッチＢ＞ピッチＡである。そのため、第１の副画素から第２の副画素への切り替わり時、もしくは、第２副画素から第１副画素への切り替わり時において、切り替わり開口部２５０ａを介して利用者から視認される領域には、ブラックマトリクス１２８が、他の開口部２１２を介して視認される領域に含まれる範囲よりも広く含まれる。例えば、図６に示すように、開口部２１２ａを介して利用者から視認される領域には、副画素のみもしくは副画素とブラックマトリクスの微少範囲（開口部２１２ａの面積に対して数％程度）が含まれる。一方、切り替わり開口部２５０ａを介して利用者から視認される領域には、ブラックマトリクス１２８の一部の領域１２８ａ（塗りつぶしハッチングで示す領域）が所定範囲以上含まれる。所定範囲とは、例えば、開口部２５０の大きさに対して１０％以上としてもよい。以降、開口部から視認されるブラックマトリクスの領域をブラック領域１２８ａと表す。
【００４２】
この結果、開口部２１２ａから射出される光量と切り替わり開口部２５０ａから射出される光量とに差が生じる。すなわち、切り替わり開口部２５０近傍において、近接して形成されている開口部から利用者側に射出される光の強度に差が生じる。この結果、切り替わり開口部２５０近傍において、副画素からの射出光が干渉し、利用者により干渉縞が観察される。干渉縞は画質の低下原因の一つであるため、発生の抑制が望まれる。
【００４３】
一方、第１実施例のパララックスバリア１１０では、既述のとおり、開口部１１２の辺Ｑは、各副画素のＹ方向に伸びた辺に対して角度θ１ずれている。このように構成することにより、図７に示すように、切り替わり開口部２５０から視認される領域では、ブラック領域１２８ａの包含割合が減少し、他の開口部１１２では、ブラック領域１２８ａの包含割合が増加する。従って、開口部を介して利用者から視認される領域のそれぞれについて、ブラック領域１２８ａと副画素領域の包含割合を近似させることができる。
【００４４】
以上説明した第１実施例の画像表示装置によれば、近接して形成されている複数の開口部を通過して利用者側に進む光の強度差を抑制できる。従って、各開口部を通過した光の干渉を抑制でき、画質を向上できる。
【００４５】
Ｂ．第２実施例：
第２実施例では、切り替わり開口部を矩形状に形成したパララックスバリアを備える画像表示装置について説明する。第２実施例の画像表示装置の各構成要素は、パララックスバリアの構成以外は第１実施例の画像表示装置の各構成要素と同様である。
【００４６】
Ｂ１．パララックスバリアの詳細構成：
図８は、第２実施例における開口部と副画素との対応について説明する説明図である。第２実施例のパララックスバリア４１０は、第１実施例のパララックスバリアと同様に、複数の開口部からなる開口部群がＸ方向に並ぶように構成されている。開口部群は、各副画素のＸ方向に伸びる辺にほぼ平行な対辺と各副画素のＹ方向に伸びる辺に対して角度θ１ずれた対辺とからなる平行四辺形状に形成されている開口部４１２と、Ｘ方向に平行な対辺およびＹ方向に平行な対辺を備える矩形状に形成された開口部４５０とを備える。矩形状に形成された開口部４５０は、ピッチＢからピッチＡに切り替わる位置に配置されている。以降、第２実施例では、矩形状に形成された開口部４５０を切り替わり開口部４５０と呼ぶ。
【００４７】
切り替わり開口部４５０の形成間隔Ｌは、以下の式４によって算出される。ただし、１サイクルの長さをＳと表し、理想ピッチをＦ、１サイクルに含まれる開口部の数（切り替わり開口部を含む）をｍ、切り替わり開口部の数をｎと表す。
【００４８】
Ｌ＝Ｓ／ｎ（Ｓ＝Ｆ×ｍ）      …（式４）
【００４９】
例えば、１サイクル内に切り替わり開口部４５０を含む開口部が１００個含まれ、切り替わり開口部が１個含まれる場合、Ｓ＝１００Ｆであり、切り替わり開口部４５０の形成間隔Ｌ＝１００Ｆである。従って、切り替わり開口部４５０は、１００Ｆ置き、すなわち、開口部１００個置きに均等な間隔で配置されることが好ましい。同様に、１サイクル内に切り替わり開口部４５０が２個含まれる場合、切り替わり開口部４５０は５０個置きに配置されることが好ましい。
【００５０】
このような構成により、切り替わり開口部を除く開口部４１２から視認される領域には、ブラック領域１２８ａの包含割合が増加する。従って、開口部を介して利用者から視認される領域のそれぞれについて、ブラック領域１２８ａと副画素領域の包含割合を近似させることができる。
【００５１】
以上説明した第２実施例の画像表示装置によれば、切り替わり開口部以外の開口部の形状を平行四辺形状に形成することができる。よって、切り替わり開口部以外の各開口部を介して利用者から視認される領域にも、ブラックマトリクスと副画素とを含めることができ、各開口部からの射出光の光強度差を低減できる。従って、干渉縞の発生を抑制でき、利用者に提示する第１画像および第２画像の画質を向上できる。
【００５２】
Ｃ．第３実施例：
第３実施例では、遮光部と開口部とが行方向に交互に形成された縦ストライプ構造を有するパララックスバリアを備える画像表示装置について説明する。なお、第３実施例の画像表示装置において、パララックスバリアの構成以外は第１実施例の画像表示装置同様の構成を有する。
【００５３】
Ｃ１．パララックスバリア詳細構成：
図９は、第３実施例におけるパララックスバリアの構成について例示する説明図である。パララックスバリア５１０の複数の開口部５１２と複数の遮光部５１１を有し、複数の開口部５１２と複数の遮光部５１１とが、複数種類のピッチで行方向に交互に形成された縦ストライプ構造を有する。各開口部５１２は、各副画素のＸ方向に伸びる辺にほぼ平行な対辺と、各副画素のＹ方向に伸びた辺に対して所定の角度ずれた対辺とからなる平行四辺形状に形成されている。所定の角度は、副画素の配置間隔や開口ピッチに応じて適宜設定される。
【００５４】
Ｃ２．副画素とパララックスバリアとの対応について：
図１０は、第３実施例における副画素の切り替わり時における副画素と開口部との位置関係について説明する模式図である。第３実施例の液晶パネルは、第１画像の形成に用いられる第１副画素と第２画像の形成に用いられる第２副画素を有しており、第１副画素と第２副画素とが行方向および列方向に交互に形成されている。図１０では、第１副画素を白抜きで示し、第２副画素をハッチングで示す。
【００５５】
図１０に示すように、同列の副画素には、同色のフィルタ要素が対応付けられており、同行の副画素には、各色のフィルタ要素が、Ｒ，Ｇ，Ｂの順番で繰り返し並ぶように対応付けられている。
【００５６】
パララックスバリア５１０は、複数種類のピッチは、第１実施例と同様に、第１副画素および第２副画素の配置ピッチに近似している第１の間隔（ピッチＡ）と、開口部間の平均ピッチを理想ピッチに近似させるための調整に用いられる第２の間隔（以降、ピッチＢ）とを含む。複数の開口部５１２は、Ｘ方向に、ピッチＡ、ピッチＡ…ピッチＡ、ピッチＢという順に並んだサイクルピッチ配置で配置されている。
【００５７】
このように構成することにより、切り替わり開口部５５０から視認される領域では、ブラック領域１２８ａの包含割合が減少し、他の開口部５１２では、ブラック領域１２８ａの包含割合が増加する。従って、開口部を介して利用者から視認される領域のそれぞれについて、ブラック領域と副画素領域の包含割合を近似させることができる。
【００５８】
以上説明した第３実施例の画像表示装置によれば、縦ストライプ構造のパララックスバリアを用いた画像表示装置においても、各開口部を通過して利用者側に向かう光の光強度差を抑制できる。従って、モアレ発生を抑制でき、画質向上を図ることができる。
【００５９】
Ｄ．変形例：
（１）第２実施例では、１サイクルに含まれる開口部の数量に基づき、切り替わり開口部の形成ピッチを算出しているが、例えば、更に、開口部の形成ピッチを考慮して、切り替わり開口部の形成ピッチを算出してもよい。
【００６０】
（２）上述の第１実施例〜第３実施例では、副画素は矩形状に形成されているが、例えば、五角形や六角形などの多角形状に形成されていてもよい。副画素がどのような形状であっても、開口部の辺が副画素の辺に対して、平行もしくは垂直でない所定の角度を有していればよい。
【００６１】
（３）上述の第１実施例〜第３実施例では、開口部は平行四辺形状に形成されているが、例えば、多角形や円形であってもよい。
【００６２】
（４）上述の第１実施例〜第３実施例では、１サイクルに、ピッチＡおよびピッチＢの２種類のピッチが含まれているが、例えば、３種類以上のピッチが含まれてもよい。１サイクルの平均ピッチが理想ピッチに近似していればよい。
【００６３】
（５）第１実施例〜第５実施例では、光源、画素電極、共通電極および電極間の液晶層を備える液晶パネルについて説明したが、例えば、画素電極、共通電極および電極間の有機発光層により構成される有機ＥＬディスプレイを用いてもよい。有機ＥＬディスプレイは、複数の画素電極上に設けられた有機発光層を備える。電極層は、有機発光層上に設けられていてもよい。ここで、有機発光層は、白色で発光する層であってもよい。
【００６４】
（６）第１実施例〜第５実施例では、アクティブマトリクス方式の液晶パネルについて説明したが、例えば、一対の電極がそれぞれ交差する方向に伸びるストライプ状の電極を用いて構成されるパッシブマトリクス方式の液晶パネルを用いてもよい。
【００６５】
本発明において、上述した種々の態様は、適宜、組み合わせたり、一部を省略したりできる。
【図面の簡単な説明】
【００６６】
【図１】第１実施例における画像表示装置の概略構成を例示する説明図。
【図２】第１実施例における下部ガラス基板の詳細構成を示すブロック図。
【図３】第１実施例におけるパララックスバリアの詳細構成を例示する説明図。
【図４】第１実施例における副画素と開口部との対応について説明する模式図。
【図５】第１実施例における画像表示装置の指向性表示方式について説明する模式図。
【図６】従来例における画像切り替わり時の開口部と副画素との対応について説明する説明図。
【図７】第１実施例における画像切り替わり時の開口部と副画素との対応について説明する説明図。
【図８】第２実施例における開口部と副画素との対応について説明する説明図。
【図９】第３実施例におけるパララックスバリアの構成について例示する説明図。
【図１０】第３実施例における画像切り替わり時の副画素と開口部との対応について説明する模式図。
【符号の説明】
【００６７】
２２…副画素
２４…画素電極
２６…ＴＦＴ素子
２８…データ線
２９…走査線
１００…画像表示装置
１０５…上部偏光板
１１０、１１０ａ…パララックスバリア
１１１…遮光部
１１２、１１２ａ…開口部
１１５…上部ガラス基板
１２０…カラーフィルタ層
１２１…フィルタ要素
１２２…開口部
１２５…液晶層
１２８…ブラックマトリクス
１３０…下部ガラス基板
１３５…下部偏光板
１４０…バックライト
１５０…液晶パネル
１６０…液晶パネル駆動部
１７０…視野範囲制御部
２５０、２５０ａ…開口部
３００…第１副画素
４１０…パララックスバリア
４１２…開口部
４５０…切り替わり開口部
５１０…パララックスバリア
５１１…遮光部
５１２…開口部
【図１】
2008242055.tif 000003
【図２】
2008242055.tif 000004
【図３】
2008242055.tif 000005
【図４】
2008242055.tif 000006
【図５】
2008242055.tif 000007
【図６】
2008242055.tif 000008
【図７】
2008242055.tif 000009
【図８】
2008242055.tif 000010
【図９】
2008242055.tif 000011
【図１０】
2008242055.tif 000012